(57)【要約】  本発明による車両が提供される。この車両は、ギヤボックスと、縦方向差動装置と、中央管モジュールと、アクスル差動装置を有する少なくとも１つのアクスルであって、これらのアクスルがセントラルモジュール上に取り付けられ、縦方向差動装置がギヤボックスにより生成された駆動トルクをこの少なくとも１つのアクスルに対して伝達する、少なくとも１つのアクスルと、縦方向差動装置とアクスルとの間においてパワートレインに組み込まれたプライマリーアクスル差動装置とを備える。
2021502307.tif 000002
【特許請求の範囲】
【請求項１】
車両であって、
ギヤボックス（６）と、
縦方向差動装置（８）と、
前記ギヤボックス（６）のパワートレイン（１５）にアクスル（２、３）を連結するための中央管モジュール（９）であって、前記アクスル（２、３）が、前記中央管モジュール（９）上に取り付けられ、前記縦方向差動装置（８）は、前記ギヤボックス（６）により生成された駆動トルクを前記中央管モジュール（９）中のドライブシャフトを介して前記少なくとも１つの第１のアクスル（２、３）に対して伝達する、中央管モジュール（９）と
を備え、
前記縦方向差動装置およびアクスル差動装置（１１）ならびに前記少なくとも１つの永久取付型アクスル（２、３）は、前記パワートレイン（１５）中に連続して配置され、連結対象の少なくとも１つのさらなるアクスル（４、５）が、連結装置（１４）を介して前記第１のアクスル（２、３）の前記アクスル差動装置（１１）により保持されたドライブシャフト（１７）によって、前記少なくとも第１のアクスル（２、３）の正面に配置されたプライマリーアクスル差動装置（１２）と共に駆動され得る、車両。
【請求項２】
さらなるアクスル（２、３、４、５）に対して駆動トルクを分配するための前記縦方向差動装置（８）は、前記ギヤボックス（６）に組み込まれることを特徴とする、請求項１に記載の車両。
【請求項３】
前記縦方向差動装置（８）は差動装置ロック（１０）を有することを特徴とする、請求項２に記載の車両。
【請求項４】
ロック可能な横方向差動装置（１１）は、アクスル差動装置（１１）として前記中央管モジュール（９）に組み込まれることを特徴とする、請求項１から３のいずれか一項に記載の車両。
【請求項５】
プライマリーアクスル差動装置（１２）が、連結対象のさらなるアクスルに対して駆動トルクを分配するために、前記アクスル（２、３、４、５）と前記縦方向差動装置（８）との間においてパワートレイン（１５）に組み込まれ、前記プライマリーアクスル差動装置は、アクスルと連結されていない場合の条件において、永久取付型アクスルのみに対して駆動トルクを伝達するようにロック可能であることを特徴とする、請求項１から４のいずれか一項に記載の車両。
【請求項６】
アクスル差動装置を有する少なくとも１つのさらなるアクスル（２、３、４、５）が、中央管モジュール（９）を介して前記第１のアクスル（２、３、４、５）上に永久的に取り付けられるか、または前記連結装置を介して前記第１のアクスル（２、３、４、５）に連結解除可能に連結され、前記アクスル（２、３、４、５）は、車両（１）の２つのフロントアクスルまたは２つ、３つ、もしくは４つ以上のリヤアクスル（２、３、４、５）を形成することを特徴とする、請求項１から５のいずれか一項に記載の車両。
【請求項７】
前記中央管モジュール（９）は、第１の中央管モジュール（９）であり、第２の中央管モジュール（９）が、好ましくは一体化されたロック可能横方向差動装置（１１）と共に、長手方向において前記第１の中央管モジュールの対向側である側にて前記ギヤボックス（６）上に配置され、アクスル差動装置を有する第２のアクスル（２、３、４、５）が設けられ、前記第２のアクスル（２、３、４、５）は、前記第２の中央管モジュール（９）上に取り付けられ、前記縦方向差動装置（８）は、前記ギヤボックス（６）により生成された駆動トルクを前記アクスル（２、３、４、５）に対して伝達することを特徴とする、請求項１から６のいずれか一項に記載の車両。
【請求項８】
アクスル差動装置を有するさらなるアクスル（２、３、４、５）が、中央管モジュール（９）を介して前記第２のアクスル上に永久的に取り付けられるか、または連結装置を介して前記第２のアクスルに連結解除可能に連結され、前記アクスル（２、３、４、５）は、車両（１）の２つのフロントアクスルまたは２つのリヤアクスル（２、３、４、５）を形成することを特徴とする、請求項１から７のいずれか一項に記載の車両。
【請求項９】
フロントアクスルおよび／またはリヤアクスル（２、３、４、５）が、操舵可能な様式で駆動および／または設計されることを特徴とする、請求項１から８のいずれか一項に記載の車両。
【請求項１０】
前記車両は、第１のドッキング装置を有し、前記第１のドッキング装置は、アクスルモジュール（１９）またはアグリゲートの対応するように設計されたドッキング装置のためのホルダとして設計されることを特徴とする、請求項１から９のいずれか一項に記載の車両。
【請求項１１】
連結対象のアクスルモジュール（１９）が、前記車両（１）の前記ドッキング装置との対応する連結のためのドッキング手段またはドッキングインサートであって、連結手段（１４）のためのかみ合いクラッチの第２の側部が、連結対象の前記アクスルモジュールに組み込まれる、ドッキング手段またはドッキングインサートと、分離連結（１８）、およびアクスル差動装置（１１）としてのロック可能な横方向差動装置（１１）を有する中央管モジュールと、被動アクスル（４、５）とを備えることを特徴とする、請求項１から１０のいずれか一項に記載の車両。
【請求項１２】
ドライブシャフトを連結するかみ合いクラッチ（１４）の２つのパーツが、追加のアクスルモジュール（１９）における追加アクスル（４、５）の連結された条件において連結装置により相互に連結され、それにより、前記連結されたアクスル（４、５）に対するトルク伝達が可能となり、分離連結（１８）が、連結プロセス中におけるドッキングインサート側のかみ合い要素の回転を防止するために、前記かみ合いクラッチ（１４）と、アクスル差動装置（１１）としての前記ロック可能な横方向差動装置（１１）との間に設けられ、前記分離連結（１８）は連結またはドッキングの後に閉じられ、プライマリーアクスル差動装置ロックは開かれることを特徴とする、請求項１から１１のいずれか一項に記載の車両。
【発明の詳細な説明】
【技術分野】
【０００１】
本発明は、モジュール式パワートレインと、かかるパワートレインを有する車両とに関する。
【背景技術】
【０００２】
車両のパワートレインは、車両技術では、車両における推進力のための動力を発生しこの動力を路面上に伝達するすべての構成要素として理解される。燃焼機関（オットー機関またはディーゼル機関）が使用される従来のパワートレインの場合には、パワートレインは、フライホイール（場合によってはデュアルマスフライホイールとしての）を有する機関と、車両ギヤボックスを有するクラッチと、マルチトラック車両の場合にはディファレンシャルと、ドライブシャフトまたはクイックリリースアクスルと、ホイールとを備える。マルチトラック後輪駆動車両またはマルチトラック全輪駆動車両の場合には、追加のプロペラシャフトまたはカルダンシャフト、ビスカスカップリング、場合によっては減速ギヤボックス、ユニバーサルジョイントまたはジョイントディスク、中央軸受、および場合によっては中央ディファレンシャルが追加される。
【発明の概要】
【発明が解決しようとする課題】
【０００３】
本発明の課題は、モジュール式パワートレインを有する車両を提供することである。
【課題を解決するための手段】
【０００４】
この課題は、独立請求項１の特徴により解決される。
【０００５】
独立請求項１の有利なさらなる展開が、従属請求項に記載される。
【０００６】
本発明による車両は、ギヤボックスと、縦方向差動装置(longitudinal differential)と、中央管モジュールと、アクスル差動装置を有する少なくとも１つのアクスルであって、このアクスルが中央管モジュールに対して取り付けられ、縦方向差動装置がギヤボックスにより生成された駆動トルクをこの少なくとも１つのアクスルに対して伝達する、少なくとも１つのアクスルと、縦方向差動装置とアクスルとの間においてパワートレインに組み込まれたプライマリーアクスル差動装置とを備える。
【０００７】
本発明の一部としての中央モジュールが、ギヤボックスのパワートレインにアクスルを連結するための構成要素として理解され、アクスルが、好ましくは中央管モジュールの上に取り付けられる。
【０００８】
好ましくは、縦方向差動装置は、ギヤボックスに組み込まれ得る。
【０００９】
好ましくは、中央管モジュールは、一体化されたロック可能な横方向差動装置(transverse differential)を有し得る。
【００１０】
さらなるアクスルが、中央管によりギヤボックス上に取り付けられ得る。これらは、さらなるリヤアクスルまたはさらなるフロントアクスルであることが可能であり、これらのアクスルは、操舵されるもの、または操舵されないものである。縦方向差動装置は、ギヤボックスに組み込まれることが可能であり、およびしたがってさらなるアクスルに対して対応する車両の駆動トルクを分配することが可能である。
【００１１】
アクスル差動装置を有するさらなるアクスルが、中央管モジュールを介して第１のアクスルに対して永久的に取り付けられ得るか、または連結装置を介してアクスルに対して連結解除可能に連結されることが可能であり、この場合に、アクスルは、車両の２つのフロントアクスルまたは２つのリヤアクスルを形成する。
【００１２】
中央管モジュールは、第１の中央管モジュールであることが可能であり、さらなる第２の中央管モジュールが、長手方向において第１の中央管モジュールの対向側である側にてギヤボックス上に配置され得る。好ましくは、これは、一体化されたロック可能横方向差動装置を備えることも可能である。
【００１３】
また、アクスル差動装置を有する第２のアクスルが用意され得る。この第２のアクスルは、第２の中央管モジュール上に取り付けられ、縦方向差動装置は、ギヤボックスにより生成された駆動トルクをアクスルに対して伝達する。
【００１４】
本発明によれば、アクスル差動装置を有するさらなるアクスルが、さらなる中央管モジュールを介して第２のアクスル上に永久的に取り付けられ得るか、またはプライマリーアクスル差動装置からのドライブシャフトを介して第２のアクスルに連結解除可能に連結され得る。このプライマリーアクスル差動装置は、アクスル差動装置および連結装置により保持され、この場合に、これらのアクスルは、車両の２つのフロントアクスルまたは２つのリヤアクスルを形成する。
【００１５】
上流側アクスル差動装置を有するプライマリーアクスル差動装置は、縦方向差動装置とアクスルとの間においてパワートレインに組み込まれ得る。
【００１６】
縦方向差動装置は、ギヤボックスにより生成された駆動トルクをフロントアクスルとリヤアクスルとの間で分配し得る。
【００１７】
フロントアクスルおよび／またはリヤアクスルは、操舵可能設計とすることが可能である。
【００１８】
以下、図面を参照として本発明をさらに詳細に説明する。
【図面の簡単な説明】
【００１９】
【図１】機関、ギヤボックス、フロントアクスル、リヤアクスル、および対応するアクスル差動装置を有する、４×４車両の概略図である。
【図２】追加のプライマリーアクスル差動装置を有する４×４ベース車両の概略図である。
【図３】常時全輪駆動を有する６×６車両を作製するための、連結された追加アクスルを有する図２の車両を示す図である。
【図４】さらなるプライマリーアクスル差動装置を有する６×６ベース車両の概略図である。
【図５】常時全輪駆動を有する８×８車両を作製するための、連結された追加アクスルを有する図４の６×６車両を示す図である。
【図６】２つのリヤアクスルを有する６×６車両の概略図である。
【図７】８×８車両の概略図である。
【図８】連結された追加アクスルおよび連結された追加機関を有する４×４ベース車両の概略図である。
【図９】連結されていない追加機関を有する図８の車両の概略図である。
【図１０】連結された追加機関を有するトルク伝達用の配線図（wiring diagram）である。
【発明を実施するための形態】
【００２０】
次に、本発明による車両１のパワートレインの基本コンセプトを説明する（図１）。
【００２１】
本発明によれば、本発明による車両１のパワートレイン１５を作製することを可能にするために、様々な差動装置モジュール（フロントアクスルおよびリヤアクスルを形成するために中央管に組み込まれる差動装置）の形態の車両キットが提供される。この車両キットは、車両またはベース車両の構成に応じて配置され得る。これらの作動モジュールは、本発明の一部としての中央管モジュール９として説明される。
【００２２】
ここでは、ギヤボックス６のギヤボックスハウジング、中央管モジュール９、およびアクスルセンターピースが、支持要素としての役割を果たす。
【００２３】
車両のホイールベースは、例えば約３，３００ｍｍであり、ギヤボックス６またはフランジからフロントアクスルの中央管モジュール９までの間と、ギヤボックス６またはフランジからリヤアクスルの中央管モジュール９までの間とが、長手方向における車両の中間部に対して対称に設計される。例えば、このフランジの距離は約１，２２４ｍｍである。中央管モジュール９からフロントアクスル２までの間と、中央管モジュール９からリヤアクスル３までの間とは、それらの設置長さに関して同等の互換性を有するものとして設計される。中央管または中央管モジュール９は、例えば約７５０ｍｍなどの長さを有する。
【００２４】
次に、本発明による１つまたは複数の車両１のためのまたは本発明による車両システムのためのパワートレイン１５の概略的構成を説明する（図１〜図９）。
【００２５】
車両１は、車両のほぼ中間におよび中央要素として長手方向車両アクスルに隣接する側へ向かって組み込まれた縦方向差動装置８と共にギヤボックス６を有する。
【００２６】
縦方向差動装置８は、車両前部と車両後部との間においてギヤボックス６により利用可能となる駆動トルクを分配する。縦方向差動装置８は、差動装置ロック１０を備える（図１）。
【００２７】
アクスル差動装置１１としての一体化されたロック可能な横方向差動装置１１を有する同一の中央管モジュール９が、ギヤボックス６上に、ならびに車両前部および後部車両構造体に設置される。また、中央管９上には、前方長手方向軸２、または任意には後部に操舵アクスルもしくは非操舵アクスル３が設置される。
【００２８】
原則的に、縦方向差動装置８、プライマリーアクスル差動装置１２、およびアクスル差動装置１１、ならびに少なくとも１つの永久取付型アクスル２、３が、４×４車両としての基本バージョンにおいて車両１のパワートレイン内に連続的に配置される。
【００２９】
図１の車両１は、プライマリーアクスル差動装置１２を有する（図２）。追加のアクスルが、かかる４×４車両に対して連結され得る。車両のパワートレイン１５にこの連結された第２のリヤアクスル５を連結することにより、これは、常時全輪駆動を有する６×６車両になる（図３）。
【００３０】
前記追加のアクスル５を連結するために、連結対象のアクスル５は、第１の永久取付型アクスル２、３の前に配置された連結装置１４を介してプライマリーアクスル差動装置１２に連結される。連結対象のさらなるアクスル５は、このための連結装置１４により第１の永久取付型アクスル２、３のアクスル差動装置１１によって保持されたドライブシャフト１７を介して連結され、したがって駆動され得る。連結装置１４は、例えば、それ自体既知であるかみ合いクラッチなどであり、ドライブシャフト１７および連結対象であるアクスル５のシャフトは、相互に回転可能に連結される。
【００３１】
本発明によれば、２つのフロントアクスル２、４を有する車両１用のパワートレイン１５は、以下のとおりの外観である（図４）。
【００３２】
２つのフロントアクスル２、４を有する６×６駆動の場合には、第１の前方中央管モジュール９が、追加のプライマリーアクスル差動装置１２を備える。縦方向差動装置８により供給される駆動トルクは、プライマリー差動装置１２により第１のフロントアクスル２および第２のフロントアクスル４のアクスル差動装置に対して伝達される。リヤアクスルは、４×４パワートレインと同一の方法で駆動される。
【００３３】
かかる４×４車両１は、追加のアクスル５に連結され得る。車両１のパワートレイン１５に連結される第２のリヤアクスル５を連結することにより、これは、常時全輪駆動を有する８×８車両になる（図５）。
【００３４】
車両１のための２つのリヤアクスル３、５を有する６×６車両として設計されたパワートレイン１５は、以下のとおりの外観である（図６）。
【００３５】
２つのリヤアクスル３、５を有する６×６駆動の場合には、前方の第１の中央管モジュール９は、プライマリーアクスル差動装置を追加的に備える。縦方向差動装置により供給される駆動トルクは、プライマリー差動装置１２により第１のリヤアクスル３および第２のリヤアクスル５のアクスル差動装置に対して伝達される。リヤアクスル２は、２つのフロントアクスル２、４を有する６×６パワートレインと同一の方法で駆動される。
【００３６】
車両のための２つのフロントアクスル２、４および２つのリヤアクスル３、５を有する８×８車両のパワートレインは、以下のとおりの外観である（図７）。
【００３７】
８×８駆動の場合には、前方パワートレインは、２つのフロントアクスル２、４を有する６×６パワートレインと同様に構成され、後方パワートレインは、２つのリヤアクスル３、５を有する６×６パワートレインと同様に構成される。
【００３８】
２つのさらなるリヤアクスル３、５を備える選択的な４×４または６×６駆動のためのパワートレイン１５は、以下のとおりの外観である（図６および図７）。
【００３９】
パワートレイン１５は、ここでは４×４または６×６（２つのリヤアクスル）として連結され得る。横方向差動装置モジュールが、ギヤボックス６とフロントステアリングアクスルとの間に設置される。横方向プライマリーアクスルモジュールが、ギヤボックスと操舵可能リヤアクスルＨＡ１との間に設けられる。かみ合いクラッチの一方の側部が、第１のリヤアクスル上においてドッキングホルダ（連結用の連結装置）に組み込まれる。
【００４０】
連結対象のアクスルモジュール１９は、連結装置１４用のかみ合いクラッチの第２の側部が一体化されたドッキングインサート（連結用の連結装置）と、分離クラッチ１８およびアクスル差動装置１１としてのロック可能横方向差動装置１１を有する中央管モジュールと、被動アクスルとを有する。
【００４１】
車両が、連結された追加のアクスルを用いずに動作される場合には、プライマリー差動装置はロックされなければならない。このようにすることで、車両は、常時全輪駆動およびロック可能差動装置を有する４×４として動作され得る。
【００４２】
追加のアクスルモジュール１９における追加のアクスル４、５の連結は、連結またはドッキング装置によりドライブシャフトを連結するかみ合いクラッチ１４の両パーツを相互に連結し、連結されたアクスル４、５に対するトルク伝達を可能にする。ドッキングプロセス中にドッキングインサート側のかみ合い要素の回転を防止するために、分離クラッチ１８が、かみ合いクラッチ１４と横方向差動装置１１との間に設けられる。ドッキングプロセス後に、分離クラッチ１８は閉じられ、プライマリー差動装置ロックは開かれる。
【００４３】
このとき、車両は、ロック可能差動装置を有する常時６×６駆動を有する車両と同様に動作され得る。
【００４４】
パワートレインは、対応する連結装置を介して車両のパワートレインに追加の機関が連結されるように延長され得る（図８および図９）。これらのトルク用の対応する配線図が、図１０に示される。
【００４５】
前方ＰＴＯシャフト連結および後方ＰＴＯシャフト連結の特定の同軸状構成の場合には、本発明によるパワートレインまたは本発明による車両を用いることにより、車両上の前方ＰＴＯシャフトと後方ＰＴＯシャフトとの間で追加の動力を伝達することと、歯車を介した伝達を用いる必要性を伴うことなくギヤボックスハウジングを介してこの動力を送ることが可能となる。
【００４６】
追加の機関が、連結装置またはドッキング装置により車両前部または車両後部に連結され得る。車両および追加の機関からの動力が、合計され、推進駆動装置、アグリゲート駆動装置、および予備駆動装置のために可変的に分配される。
【００４７】
任意には、ＰＴＯシャフト駆動アグリゲートは、対向側に位置決めされたドッキングホルダに対して、または追加の機関モジュール上のドッキングホルダに対して連結され得る。
【００４８】
したがって、推進駆動装置用および予備駆動装置用に、アグリゲートに対してまたは可変的にアグリゲートに対してＰＴＯシャフトを介して車両および追加の機関のシステム全体の動力を分配することが可能となる。
【００４９】
本発明による車両が、運転方向および運転方向とは逆における前方位置に連結装置またはドッキングホルダを備えることにより、対応するドッキングインサートを有する追加の被動アクスル同士を完全に自動的に連結することが可能となる。
【００５０】
連結され得るアクスルを動作させるために備えつけられた車両は、第２のアクスルの正面にプライマリーアクスル差動装置を有する。かかるプライマリーアクスル差動装置は、２つのアクスルと車両側かみ合いクラッチとの間においてトルクを分配し、この車両側かみ合いクラッチは、第３のアクスルに対して連結されることとなるアクスルに対してトルクを伝達する役割を果たす。かかる車両が、第３のアクスルを用いずに動作されると、プライマリーアクスル差動装置は、差動装置ロックによりロックされ、車両は、常時４×４駆動として動作される。
【００５１】
連結対象のアグリゲートまたはアクスルモジュールが、対応する連結クロー、分離連結、および横方向差動装置を有する。
【００５２】
ドッキングのための方法では、または第３のアクスルの連結プロセスの最中に、分離連結は、アクスルモジュールの使用時にアクスルモジュール側の連結クローが静止状態に留まることを確実にするように開かれる。
【００５３】
連結プロセスが完了すると、アクスルモジュール内の分離連結は閉じられ、車両側のプライマリーアクスル差動装置内の差動装置ロックは開かれる。
【００５４】
したがって、車両のパワートレインは、３つの全アクスル上にロック可能縦方向差動装置、プライマリーアクスル差動装置、およびロック可能横方向差動装置を有する常時６×６駆動を構成する。
【符号の説明】
【００５５】
１  車両
２  フロントアクスル
３  リヤアクスル
４  第２のフロントアクスル
５  第２のリヤアクスル
６  ギヤボックス
７  機関
８  縦方向差動装置
９  中央管モジュール
１０  差動装置ロック
１１  ロック可能横方向差動装置／アクスル差動装置
１２  プライマリーアクスル差動装置
１３  追加の機関
１４  連結装置
１５  パワートレイン
１６  追加の機関
１７  ドライブシャフト
１８  分離連結
１９  連結対象のアクスルモジュール
【図１】
2021502307.tif 000003
【図２】
2021502307.tif 000004
【図３】
2021502307.tif 000005
【図４】
2021502307.tif 000006
【図５】
2021502307.tif 000007
【図６】
2021502307.tif 000008
【図７】
2021502307.tif 000009
【図８】
2021502307.tif 000010
【図９】
2021502307.tif 000011
【図１０】
2021502307.tif 000012
【国際調査報告】
2021502307.tif 000013
2021502307.tif 000014
2021502307.tif 000015
2021502307.tif 000016
2021502307.tif 000017
2021502307.tif 000018